(57)【要約】 【課題】遊技機の非動作中であっても制御基板への不正な働きかけを検出するとともに、不正があったことを記憶し、あらゆる場合に制御基板への不正を確実に検知して対応することができる台間遊技設備機における不正防止装置を提供する。【解決手段】遊技客の支払う対価に応じて遊技媒体を貸し出す台間遊技設備機３０における不正防止装置であって、遊技媒体排出ユニット２００の制御基板１００に開閉可能な蓋４５を有する基板カバー４０を設け、該蓋４５の開扉を検出するカバー開閉検出センサ１１９を設けるとともに、カバー開閉検出センサ１１９の検知結果の記憶手段１１３を設けた。【選択図】図１
2005218597.tif 000002
【特許請求の範囲】
【請求項１】
遊技客の支払う対価に応じて遊技媒体を貸し出す台間遊技設備機における不正防止装置であって、
台間遊技設備機の制御基板に開閉可能な基板カバーを設け、該基板カバーの開扉を検出するカバー開閉検出センサを設けるとともに、該カバー開閉検出センサの検知結果を記憶する記憶手段を設けたことを特徴とする台間遊技設備機における不正防止装置。
【請求項２】
遊技客の支払う対価に応じて遊技媒体を貸し出す台間遊技設備機における不正防止装置であって、
台間遊技設備機の制御基板に開閉可能な基板カバーを設け、該基板カバーの開扉を検出するカバー開閉検出センサを設けるとともに、該カバー開閉検出センサの検知結果を記憶する記憶手段および、該記憶手段の記憶を維持するバッテリを設けたことを特徴とする台間遊技設備機における不正防止装置。
【請求項３】
遊技客の支払う対価に応じて遊技媒体を貸し出す台間遊技設備機における不正防止装置であって、
台間遊技設備機の制御基板に開閉可能な基板カバーを設け、該基板カバーの開扉を検出するカバー開閉検出センサを設けるとともに、該カバー開閉検出センサの検知結果を記憶する記憶手段および、該記憶手段の記憶を維持するバッテリを設け、
前記台間遊技設備機の電源投入時に前記記憶手段から検知結果を確認し開扉されていたときは制御プログラムの変更の有無を確認する検定手段を設けたことを特徴とする台間遊技設備機における不正防止装置。
【請求項４】
前記制御基板に、外部の管理装置と情報を交換する通信手段を設けたことを特徴とする請求項１，２または３に記載の台間遊技設備機における不正防止装置。
【請求項５】
制御プログラムの不正改造が検出されたときは、不正を報知し、また台間遊技設備機の動作を停止することを特徴とする請求項１，２，３または４に記載の台間遊技設備機における不正防止装置。
【請求項６】
前記制御基板に、ＧＰＳ（グローバル・ポジショニング・システム）による位置確認手段を設け、基板カバーが開扉されるとＧＰＳが作動するようにしたことを特徴とする請求項１，２，３または４に記載の台間遊技設備機における不正防止装置。
【請求項７】
基板カバーが開扉されたとき警報を報知する警報処理装置を設け、警報が報知されたとき、発生区域を撮影する監視カメラを設けたことを特徴とする請求項１，２，３または４に記載の台間遊技設備機における不正防止装置。
【発明の詳細な説明】
【技術分野】
【０００１】
本発明は、遊技客の支払う対価に応じて遊技媒体を貸し出す台間遊技設備機における不正防止装置に関する。
【背景技術】
【０００２】
従来の技術としては、例えば特許文献１に示すようなものがある。  
すなわち、特許文献１の特開平７−２５０９４１号公報には、各種制御基板のいずれかの開封や、それぞれに対しての他の機器との接続状態を監視する監視手段を設け、その監視手段により不正開封や接続状態の不正解除が発見されれば、遊技制御手段による遊技制御動作の機能を停止させるようにした技術が開示されている。
【０００３】
【特許文献１】特開平７−２５０９４１号公報
【発明の開示】
【発明が解決しようとする課題】
【０００４】
しかしながら、このような従来の技術では、遊技機器の動作中に制御基板に不正の働きかけがあったときに、それを検出して遊技を停止させるだけであるので、閉店後などの遊技機の非動作中には対応することができず、記憶も残すことができないので、制御基板への不正行為に十分には対応することができないという問題点があった。
【０００５】
本発明は、このような従来の技術が有する問題点に着目してなされたもので、遊技機の非動作中であっても制御基板への不正な働きかけを検出するとともに、不正があったことを記憶し、あらゆる場合に制御基板への不正を確実に検知して対応することができる台間遊技設備機における不正防止装置を提供することを目的としている。
【課題を解決するための手段】
【０００６】
かかる目的を達成するための本発明の要旨とするところは、次の各項の発明に存する。
［１］  遊技客の支払う対価に応じて遊技媒体を貸し出す台間遊技設備機（３０）における不正防止装置であって、
台間遊技設備機（３０）の制御基板（１００）に開閉可能な基板カバー（４０）を設け、該基板カバー（４０）の開扉を検出するカバー開閉検出センサ（１１９）を設けるとともに、該カバー開閉検出センサ（１１９）の検知結果を記憶する記憶手段（１１３）を設けたことを特徴とする台間遊技設備機（３０）における不正防止装置。
【０００７】
［２］  遊技客の支払う対価に応じて遊技媒体を貸し出す台間遊技設備機（３０）における不正防止装置であって、
台間遊技設備機（３０）の制御基板（１００）に開閉可能な基板カバー（４０）を設け、該基板カバー（４０）の開扉を検出するカバー開閉検出センサ（１１９）を設けるとともに、該カバー開閉検出センサ（１１９）の検知結果を記憶する記憶手段（１１３）および、該記憶手段（１１３）の記憶を維持するバッテリ（４１）を設けたことを特徴とする台間遊技設備機（３０）における不正防止装置。
【０００８】
［３］  遊技客の支払う対価に応じて遊技媒体を貸し出す台間遊技設備機（３０）における不正防止装置であって、
台間遊技設備機（３０）の制御基板（１００）に開閉可能な基板カバー（４０）を設け、該基板カバー（４０）の開扉を検出するカバー開閉検出センサ（１１９）を設けるとともに、該カバー開閉検出センサ（１１９）の検知結果を記憶する記憶手段（１１３）および、該記憶手段（１１３）の記憶を維持するバッテリ（４１）を設け、
前記台間遊技設備機（３０）の電源投入時に前記記憶手段（１１３）から検知結果を確認し開扉されていたときは制御プログラムの変更の有無を確認する検定手段を設けたことを特徴とする台間遊技設備機における不正防止装置。
【０００９】
［４］  前記制御基板（１００）に、外部の管理装置と情報を交換する通信手段（１２２）を設けたことを特徴とする項１，２または３に記載の台間遊技設備機（３０）における不正防止装置。
【００１０】
［５］  制御プログラムの不正改造が検出されたときは、不正を報知し、また台間遊技設備機（３０）の動作を停止することを特徴とする項１，２，３または４に記載の台間遊技設備機（３０）における不正防止装置。
【００１１】
［６］  前記制御基板（１００）に、ＧＰＳ（グローバル・ポジショニング・システム）による位置確認手段を設け、基板カバー（４０）が開扉されるとＧＰＳが作動するようにしたことを特徴とする項１，２，３または４に記載の台間遊技設備機（３０）における不正防止装置。
【００１２】
［７］  基板カバー（４０）が開扉されたとき警報を報知する警報処理装置を設け、警報が報知されたとき、発生区域を撮影する監視カメラ（５６）を設けたことを特徴とする項１，２，３または４に記載の台間遊技設備機における不正防止装置。
【００１３】
前記本発明は次のように作用する。  
本発明に係る台間遊技設備機（３０）における不正防止装置では、遊技客の支払う対価に応じて遊技媒体を貸し出す台間遊技設備機（３０）の遊技媒体排出ユニット（２００）の制御基板（１００）に不正な働きかけがあったとき、この不正な働きかけを未然に検知して対応する。
【００１４】
遊技媒体排出ユニット（２００）の制御基板（１００）に不正を働くには、まずその基板カバー（４０）を開扉する必要がある。そうすると、カバー開閉検出センサ（１１９）が基板カバー（４０）の開扉を検出し、開扉されたというカバー開閉検出センサ（１１９）の検知結果は、記憶手段（１１３）に記憶される。遊技設備の電源に頼る必要がないようバッテリ（４１）を設けてあると、カバー開閉検出センサ（１１９）や記憶手段（１１３）は、バッテリ（４１）により動作して記憶を維持し、遊技設備の電源の状態に関わらず、不正を検知することができる。
【００１５】
遊技設備の停止後、開店のために電源が入れられたとき、記憶手段（１１３）から、制御基板（１００）の開扉を確認し、開扉されていたときは不正の可能性があるので、検定手段が、制御プログラムの変更の有無を確認する。記憶手段（１１３）の記憶は、通信手段（１２２）により外部の管理装置と、開閉情報、制御基板の正規プログラム情報、管理装置からの動作指示（動作の有無）情報が交換されており、制御基板（１００）の基板カバー（４０）が開扉されて不正の可能性があるときは直ちに判明する。
【００１６】
制御基板（１００）は外部に持ち出されて改造されるおそれがあるが、制御基板（１００）の基板カバー（４０）内にＧＰＳによる位置確認手段が設けられていれば、制御基板（１００）の所在が判明し、不正行為者を捕捉することが可能になる。また、遊技中であれば、制御プログラムの不正改造が検出されたとき、不正が報知され、また台間遊技設備機（３０）の動作を停止することで、被害の拡大を未然に防止することができるものである。
【発明の効果】
【００１７】
本発明に係る台間遊技設備機における不正防止装置によれば、閉店後など遊技機の非動作中であっても制御基板への不正な働きかけを検出し、かつ記憶することができるので、遊技設備の動作状態に関わらず、あらゆる場合に制御基板への不正を確実に検知して対応することができる。
【発明を実施するための最良の形態】
【００１８】
以下、図面に基づき本発明の好適な一実施の形態を説明する。  
各図は本発明の一実施の形態を示している。  
図７に示すように、遊技機１０，１０の間に玉貸機である台間遊技設備機３０が設置されている。  
図５および図６に示すように、台間遊技設備機３０は、正面に紙幣投入口３１、コイン投入口３２、カード投入口３３、コイン返却口３４および、モニターランプ３５、球排出口３６を備えている。
【００１９】
図５および図９に示すように、台間遊技設備機３０は、メイン制御基板１００、遊技媒体排出ユニット２００、紙幣識別機３００、コインセレクタ４００、カードユニット５００、入出力基板６００を備えて構成されている。そして、遊技機１０に賞球を行えるようメイン制御基板１００が遊技機１０に接続されており、入出力基板６００は遊技場管理装置であるホールコンピュータ２０に接続されている。また、電力はノイズフィルタ７００を介して供給されている。
【００２０】
メイン制御基板１００の構成は図８に示されている。メイン制御基板１００はマイクロコンピュータ１０１が要部をなしており、入力回路１１６に遊技機１０および各所のスイッチが接続されている。図５に示すように、遊技媒体排出ユニット２００には、上部から供給される球の有無を検出する球有無検出センサ２３０が装着された球導入路２４０が接続されており、遊技媒体排出ユニット２００からは、貸し出す球を球排出口３６に導く球排出路２５０が延びている。図６で解るように、球排出路２５０からは側面に遊技機１０への賞球出口２６０が開設されている。また、球排出路２５０には異物検出処理部５０が設けられている。
【００２１】
遊技媒体排出ユニット２００のメイン制御基板１００には、開閉可能な蓋４５を有し、不正を防止するためにメイン制御基板１００を覆う基板カバー４０が設けられている。図１〜図３で解るように、蓋４５の先端部はクリップ４６で係止され、基板カバー４０内には蓋４５の開扉を検出するカバー開閉検出センサ１１９が設けられている。
【００２２】
カバー開閉検出センサ１１９は、マイクロコンピュータ１０１に接続されるラッチ回路１１３に接続されており、カバー開閉検出センサ１１９とマイクロコンピュータ１０１、ラッチ回路１１３の詳細は図４に示されている。すなわち、ラッチ回路１１３はカバー開閉検出センサ１１９の検出結果の記憶手段をなしており、ラッチ回路１１３のＶＣＣには、システムの電源が入力しているが、メイン制御基板１００が基板カバー４０ごと外された場合でもラッチ回路１１３の記憶を保持するためのバッテリ４１から電力供給できるようになっている。また、送信信号は、ＧＰＳ（グローバル・ポジショニング・システム）を含むものとなっている。
【００２３】
また、カバー開閉検出センサ１１９の検出結果を外部に送信する通信手段として送信回路１２２が設けられている（図８参照）。送信回路１２２は、メイン制御基板１００の基板カバー４０に内装されており、メイン制御基板１００が外された場合でも送信できるよう、バッテリ４１から電力供給できるようになっている。
【００２４】
電源投入時には、記憶手段であるラッチ回路１１３の内容を確認し、基板カバー４０の開閉が行われていた場合、ホールコンピュータ２０に知らせるようになっており、ホールコンピュータ２０には、制御プログラムの変更の有無を確認する検定手段が設けられている。
【００２５】
前記のように、遊技媒体排出ユニット２００から球排出口までの排出経路に挿入異物Ｉを検出する異物検出処理部５０が設けられている。そして、図１２に示すように、遊技媒体排出ユニット２００からの排出経路は、経路切替え部材２１０により切替えられるもので、球排出口３６への球排出路２５０と、賞球出口２６０への球排出路２５０ａとがある。経路切替え部材２１０は、メイン制御基板１００の出力回路１１５からの経路切替信号による経路切替ソレノイド２２３で切替わるものである。そして、異物検出処理部５０は、球排出路２５０と球排出路２５０ａとのいずれにも設けられている。なお、このように２つの球排出路を設けることなく、１つの球排出路で玉貸、賞球を行うようにしてもよい。
【００２６】
図１０および図１１に示すように、異物検出処理部５０には、球排出路２５０における異物検出処理部５０の構成を示しており、球排出路２５０ａも同一の構成をしている。異物検出処理部５０には、異物防止弁５１と異物検出センサ５５が設けられ、異物防止弁５１は、支軸５１ａに支持され、駆動ソレノイド２２４ａで、遊技媒体の排出中は排出経路を開き、排出していないときは排出経路を塞ぎ、挿入された挿入異物Ｉを別の経路２１５に誘導する弁体５２を有している。球排出路２５０の反対側の内壁には弁体５２の先端を保持して挿入異物Ｉが挿入されたときに弁体５２が変位しないようにする座部２１６が形成されている。図１１で解るように、異物検出センサ５５は、別の経路２１５に誘導された針金やセル板等の挿入異物Ｉが届きやすい位置に配設されている。
【００２７】
図８でわかるように、駆動ソレノイド２２４ａはメイン制御基板１００の出力回路１１５に接続され、賞球出口２６０への球排出路２５０ａに設けられる駆動ソレノイド２２４ｂも出力回路１１５に接続されている。また、異物検出センサ５５は異物検出信号１としてマイクロコンピュータ１０１に接続され、賞球出口２６０への球排出路２５０ａ側の異物検出センサ５５ａも異物検出信号２としてマイクロコンピュータ１０１に接続されている。また、駆動ソレノイド２２４ａ，ｂの設定スイッチ１２０ａ，ｂおよびリセットスイッチ１２１が設けられている。
【００２８】
また、図示されていないが、カバー開閉検出センサ１１９が開扉を検知したときや、異物検出センサ５５が挿入異物Ｉを検知したとき警報を報知する警報処理装置が設けられており、さらに、台間遊技設備機３０の機能を停止させる警報処理装置が設けられている。この機能を停止することの一つとして払い出しを止めるための払出し停止ソレノイド２２２が出力回路１１５に接続して設けられている。
【００２９】
また、図１３および図１４に示すように、警報処理装置により警報が報知されたとき、発生区域を撮影する監視カメラ５６，５６…が島の間を覗くようにして配設され、警報の発された台間遊技設備機３０と監視カメラ５６とを関連付けて撮影を進行する監視カメラ制御装置５７が設けられている。
【００３０】
次に作用を説明する。  
台間遊技設備機３０における不正防止装置では、遊技客の支払う対価に応じて遊技媒体を貸し出す台間遊技設備機３０の遊技媒体排出ユニット２００の制御基板１００に不正な働きかけがあったとき、この不正な働きかけを未然に検知して対応する。
【００３１】
遊技媒体排出ユニット２００の制御基板１００に不正を働くには、まずその基板カバー４０を外す必要がある。必然的に基板カバー４０の開閉可能な蓋４５を開くことになり、カバー開閉検出センサ１１９が基板カバー４０の蓋４５の開扉を検出し、開扉されたというカバー開閉検出センサ１１９の検知結果は、記憶手段であるラッチ回路１１３に記憶される。遊技設備の電源に頼る必要がないようバッテリ４１を設けてあるので、カバー開閉検出センサ１１９や記憶手段であるラッチ回路１１３は、バッテリ４１によって動作し、遊技設備の電源の状態に関わらず、不正を検知することができる。
【００３２】
遊技設備の停止後、開店のために電源が入れられたとき、記憶手段であるラッチ回路１１３から、制御基板１００の蓋４５の開扉を確認し、開扉されていたときは不正の可能性があるので、検定手段が、制御プログラムの変更の有無を確認する。記憶手段であるラッチ回路１１３の記憶は、無線通信手段の送信回路１２２により外部の管理装置と情報が交換されており、制御基板１００の基板カバー４０の蓋４５が開扉されて不正の可能性があるときは直ちに判明する。
【００３３】
制御基板１００は外部に持ち出されて改造されるおそれがあるが、制御基板１００の基板カバー４０内にＧＰＳによる位置確認手段が設けられているので、送信信号により制御基板１００の所在が判明し、不正を発見することが可能になる。また、遊技中であれば、制御プログラムの不正改造が検出されたとき、不正が報知され、また台間遊技設備機３０の動作を停止することで、被害の拡大を防止することができる。動作の停止は、例えば、カバー開閉検出センサ１１９の信号を受け、メイン制御基板１００の出力回路１１５から払出し停止ソレノイド２２２に信号が発され、払出し停止ソレノイド２２２が遊技媒体の払い出しを停止することによりなされる。
【００３４】
警報処理装置は、記憶手段であるラッチ回路１１３により、制御基板１００の蓋４５の開扉を確認すると警報を報知し、さらに、台間遊技設備機３０の機能を停止させる。また、警報処理装置により警報が報知されたとき、監視カメラ５６は、台間遊技設備機３０からの情報を受けた監視カメラ制御装置５７に制御され、発生区域を割り出し焦点をあわせて撮影して現場を捕捉するものである。
【００３５】
また、台間遊技設備機３０における不正防止装置は異物検出処理部５０にも装置されている。遊技客の支払う対価に応じて遊技媒体を貸し出す台間遊技設備機３０において、挿入異物Ｉによる不正行為を防止するとともに検出し、不正行為が未然に防止される。
【００３６】
異物防止弁５１は、図１０に示すように、遊技媒体の排出中は弁体５２が排出経路を開いて経路の邪魔をすることなく遊技媒体を通過させる。排出していないときは図１１に示すように、駆動ソレノイド２２４ａが異物防止弁５１を押して支軸５１ａを中心に回動させ、球排出口３６への球排出路２５０である排出経路は弁体５２で塞がれる。挿入異物Ｉが差し込まれると弁体５２が邪魔をするので、別の経路２１５に誘導される。誘導された挿入異物Ｉが深く差し込まれると、誘導された挿入異物Ｉが届きやすい位置に配設されている異物検出センサ５５により検出される。賞球出口２６０への球排出路２５０ａでも同様に異物検出処理部５０の異物検出センサ５５ａが動作している。
【００３７】
つまり、球排出口３６から排出経路内に挿入異物Ｉが差し込まれると、遊技媒体排出ユニット２００に届く前に、異物検出処理部５０に達し、異物検出処理部５０の異物防止弁５１が挿入異物Ｉを受け止めて導くとともに、異物検出センサ５５に挿入異物Ｉが検出され、報知や警告等の対応がなされる。
【００３８】
警報処理装置は、異物検出センサ５５が挿入異物Ｉを検知したとき警報を報知し、さらに、台間遊技設備機３０の機能を停止させる。また、警報処理装置により警報が報知されたとき、監視カメラ５６は、台間遊技設備機３０からの情報を受けた監視カメラ制御装置５７に制御され、発生区域を割り出し焦点をあわせて撮影して現場を捕捉するものである。
【図面の簡単な説明】
【００３９】
【図１】本発明の一実施の形態に係る不正防止装置の基板カバーを示す正面図である。
【図２】本発明の一実施の形態に係る不正防止装置の基板カバーを開いた状態を示す平面図である。
【図３】本発明の一実施の形態に係る不正防止装置の基板カバーを閉じた状態を示す平面図である。
【図４】本発明の一実施の形態に係る不正防止装置の基板カバー内の回路図である。
【図５】本発明の一実施の形態に係る不正防止装置を備えた台間遊技設備機の分解斜視図である。
【図６】本発明の一実施の形態に係る不正防止装置を備えた台間遊技設備機の側面図である。
【図７】本発明の一実施の形態に係る不正防止装置を備えた台間遊技設備機の設置状態を示す正面図である。
【図８】本発明の一実施の形態に係る不正防止装置を備えた台間遊技設備機のメイン制御基板のブロック図である。
【図９】本発明の一実施の形態に係る不正防止装置を備えた台間遊技設備機の制御ブロック図である。
【図１０】本発明の一実施の形態に係る不正防止装置の異物検出処理部を示す説明断面図である。
【図１１】本発明の一実施の形態に係る不正防止装置の異物検出処理部を示す説明断面図である。
【図１２】本発明の一実施の形態に係る不正防止装置を備えた台間遊技設備機の遊技媒体排出ユニットを示す説明断面図である。
【図１３】本発明の一実施の形態に係る不正防止装置を備えた台間遊技設備機と監視カメラを示す説明図である。
【図１４】本発明の一実施の形態に係る不正防止装置を備えた台間遊技設備機を設置した島と監視カメラを示す説明図である。
【符号の説明】
【００４０】
１０…遊技機
２０…ホールコンピュータ
３０…台間遊技設備機
３１…紙幣投入口
３２…コイン投入口
３３…カード投入口
３４…コイン返却口
３５…モニターランプ
３６…球排出口
４０…基板カバー
４１…バッテリ
４５…蓋
４６…クリップ
５０…異物検出処理部
５１…異物防止弁
５１ａ…支軸
５２…弁体
５５…異物検出センサ
５６…監視カメラ
５７…監視カメラ制御装置
１００…メイン制御基板
１０１…マイクロコンピュータ
１１３…ラッチ回路
１１５…出力回路
１１６…入力回路
１１９…カバー開閉検出センサ
１２０…設定スイッチ
１２１…リセットスイッチ
１２２…送信回路
２００…遊技媒体排出ユニット
２１０…経路切替え部材
２１５…別の経路
２２２…払出し停止ソレノイド
２２３…経路切替ソレノイド
２２４…駆動ソレノイド
２３０…球有無検出センサ
２４０…球導入路
２５０…球排出路
２６０…賞球出口
３００…紙幣識別機
４００…コインセレクタ
５００…カードユニット
６００…入出力基板
７００…ノイズフィルタ
【図１】
2005218597.tif 000003
【図２】
2005218597.tif 000004
【図３】
2005218597.tif 000005
【図４】
2005218597.tif 000006
【図５】
2005218597.tif 000007
【図６】
2005218597.tif 000008
【図７】
2005218597.tif 000009
【図８】
2005218597.tif 000010
【図９】
2005218597.tif 000011
【図１０】
2005218597.tif 000012
【図１１】
2005218597.tif 000013
【図１２】
2005218597.tif 000014
【図１３】
2005218597.tif 000015
【図１４】
2005218597.tif 000016
【手続補正書】
【提出日】平成16年2月6日(2004.2.6)
【手続補正１】
【補正対象書類名】明細書
【補正対象項目名】００２２
【補正方法】変更
【補正の内容】
【００２２】
カバー開閉検出センサ１１９は、マイクロコンピュータ１０１に接続されるラッチ回路１１３に接続されており、カバー開閉検出センサ１１９とマイクロコンピュータ１０１、ラッチ回路１１３の詳細は図４に示されている。すなわち、ラッチ回路１１３はカバー開閉検出センサ１１９の検出結果の記憶手段をなしており、ラッチ回路１１３のＶＣＣには、システムの電源が入力しているが、メイン制御基板１００が基板カバー４０ごと外された場合でもラッチ回路１１３の記憶を保持するためのバッテリ４１から電力供給できるようになっている。送信信号は、ＧＰＳ（グローバル・ポジショニング・システム）を含むものとなっている。また、ＧＰＳは前述した監視カメラ制御装置に連動され、遊技場内では、その位置を検出して監視カメラで撮影するようになっているため、一旦遊技場外に持ち出されて、改造され戻されて設置する場合も撮影できることになる。